(57)【要約】【課題】  用紙搬送装置の内部に設けた搬送ガイドと用紙積載手段との開閉状態を１つの検知手段にて検知し、開閉検知機構に係るコストを削減することを課題とする。【解決手段】  搬送ガイド７０と手差しトレイ６０との各々の開閉状態を検知するための第２のプッシュスイッチ７２と、搬送ガイド７０の開閉に応じて第２のプッシュスイッチ７２に接離される搬送ガイド検知レバー５４と、手差しトレイ６０の開閉に応じて第２のプッシュスイッチ７２に接離される手差しトレイ検知レバー７３とを備え、両面ユニット５０が閉状態の場合に、搬送ガイド検知レバー５４を第２のプッシュスイッチ７２に接触しない位置を取らせ、かつ、両面ユニット５０が開状態の場合に、手差しトレイ検知レバー７３を第２のプッシュスイッチ７２に接触しない位置を取らせる。【選択図】図２
2015129803.tif 000002
【特許請求の範囲】
【請求項１】
画像形成装置本体に開閉可能な用紙搬送装置と、前記用紙搬送装置に開閉可能に支持された搬送ガイドと、前記用紙搬送装置の外郭部に開閉可能に支持された用紙積載手段とを備える画像形成装置に用いられる開閉検知機構において、
前記搬送ガイドと前記用紙積載手段との各々の開閉状態を検知するための検知手段と、前記搬送ガイドの開閉に応じて前記検知手段に接離される第１の検知部材と、前記用紙積載手段の開閉に応じて前記検知手段に接離される第２の検知部材とを備え、前記用紙搬送装置が閉状態の場合に、第１の検知部材を前記検知手段に接触しない位置を取らせ、かつ、前記用紙搬送装置が開状態の場合に、第２の検知部材を前記検知手段に接触しない位置を取らせることを特徴とする開閉検知機構。
【請求項２】
請求項１の開閉検知機構において、
前記搬送ガイドが開状態の場合に、第２の検知部材を前記検知手段に接触しない位置を取らせることを特徴とする開閉検知機構。
【請求項３】
請求項１に記載の開閉検知機構において、
前記検知手段としてスイッチを押圧されることで検知するプッシュ型スイッチを用いることを特徴とした開閉検知機構。
【請求項４】
請求項１に記載の開閉検知機構において、
前記検知手段に光学センサを用いることを特徴とした開閉検知機構。
【請求項５】
画像形成装置本体に開閉可能な用紙搬送装置と、前記用紙搬送装置に開閉可能に支持された搬送ガイドと、前記用紙搬送装置の外郭部に開閉可能に支持された用紙積載手段とを備える画像形成装置において、
請求項１乃至３の何れか一項に記載の開閉検知機構を備えることを特徴とする画像形成装置。
【発明の詳細な説明】
【技術分野】
【０００１】
本発明は、画像形成装置本体に開閉可能に設けられた用紙搬送装置に用いる開閉検知機構、及び前記開閉検知機構を備えた画像形成装置に関するものである。
【背景技術】
【０００２】
従来、両面印刷に対応するための用紙搬送装置である両面ユニットを画像形成装置本体外郭部に備えた画像形成装置が知られている。この両面ユニットは、紙詰まりの際の搬送路内の用紙除去や機内のメンテナンスを容易にするために、画像形成装置に対して開閉可能な構成となっている。さらに、この両面ユニットの内部には、印刷された用紙を反転搬送するための経路が設けられており、この経路に対して画像形成装置側に搬送ガイドが配置されている。
この搬送ガイドは両面ユニットに対して回動可能に支持されており、紙詰まりが生じた場合には搬送ガイドを開閉させて搬送経路内に残った用紙を除去することができる。
【０００３】
また、前記画像形成装置には、定型サイズの用紙を収容するための給紙カセットと、この給紙カセットに収容できないサイズの用紙、あるいは、少数枚の用紙への印刷等に対応するための手差し給紙装置とを備えている。この手差し給紙装置の給紙部は両面ユニットの内部に備えられ、さらに、手差し給紙装置の用紙積載手段である手差しトレイは両面ユニットの外郭部に開閉可能に備えられている。
両面ユニットと、搬送ガイドと、手差しトレイとには、ユーザーによる紙詰まり除去作業が行われたか、もしくは開閉状態を検知できるように、開閉検知機構を備えている。
【発明の概要】
【発明が解決しようとする課題】
【０００４】
前記画像形成装置の開閉検知機構は、用紙搬送装置の開閉状態の検知と、用紙積載手段の開閉状態の検知と、用紙搬送装置内の搬送ガイドの開閉状態の検知とを、それぞれ専用の検知手段にて検知している。この検知手段には、検知スイッチと、検知スイッチの検知信号を制御基板に通信するためのハーネスとが必要となり、各開閉機構の開閉状態を検知するためにはコストがかかるという問題が生じている。
【０００５】
本発明は以上の問題点に鑑みなされたものであり、その目的は、用紙搬送装置の内部に設けた搬送ガイドと用紙積載手段との開閉状態を１つの検知手段にて検知し、開閉検知機構に係るコストを削減することができる開閉検知機構、および前記開閉検知機構を備えた画像形成装置を提供することである。
【課題を解決するための手段】
【０００６】
上記目的を達成するために、請求項１の発明は、画像形成装置本体に開閉可能な用紙搬送装置と、前記用紙搬送装置に開閉可能に支持された搬送ガイドと、前記用紙搬送装置の外郭部に開閉可能に支持された用紙積載手段とを備える画像形成装置に用いられる開閉検知機構において、
前記搬送ガイドと前記用紙積載手段との各々の開閉状態を検知するための検知手段と、前記搬送ガイドの開閉に応じて前記検知手段に接離される第１の検知部材と、前記用紙積載手段の開閉に応じて前記検知手段に接離される第２の検知部材とを備え、前記用紙搬送装置が閉状態の場合に、第１の検知部材を前記検知手段に接触しない位置を取らせ、かつ、前記用紙搬送装置が開状態の場合に、第２の検知部材を前記検知手段に接触しない位置を取らせることを特徴とするものである。
【発明の効果】
【０００７】
本発明によれば、用紙搬送装置内の搬送ガイドと用紙積載手段との開閉状態を１つの検知手段にて検知し、開閉検知機構に係るコストを削減することができるという優れた効果がある。
【図面の簡単な説明】
【０００８】
【図１】本実施形態に係るフルカラープリンタの概略構成図である。
【図２】同フルカラープリンタにおける両面ユニットの説明図である。
【図３】同フルカラープリンタにおける手差しトレイの開動作を示す説明図である。
【図４】同フルカラープリンタにおける両面ユニットの開動作を示す説明図である。
【図５】同フルカラープリンタにおける両面ユニットと手差しトレイの開動作を示す説明図である。
【図６】同フルカラープリンタにおける両面ユニットと搬送ガイドの開動作を示す説明図である。
【図７】同フルカラープリンタにおける両面ユニットと搬送ガイドと手差しトレイの開動作を示す説明図である。
【発明を実施するための形態】
【０００９】
本発明に係る画像形成装置の一実施形態について説明する。
図１は、本実施形態に係る画像形成装置の一例であるフルカラープリンタの概略を示す構成図である。
このフルカラープリンタは、装置本体１のほぼ中央部に、複数のローラに掛け渡された像担持体としての中間転写体である中間転写ベルト１１を備えている。そして、この中間転写ベルト１１の鉛直方向下方に向いたベルト面に沿って４個の作像ユニット１０Ｍ，１０Ｃ，１０Ｙ，１０Ｂｋが設けられている。
【００１０】
各作像ユニット１０Ｍ，１０Ｃ，１０Ｙ，１０Ｂｋは、潜像担持体としての感光体ドラム２を具備している。これらの感光体ドラム２の周りには、それぞれ、帯電装置、現像装置、クリーニング装置等が配置されている。また、各感光体ドラム２に対向する位置には、中間転写ベルト１１の内側に一次転写手段としての一次転写ローラ１２がそれぞれ設けられている。
【００１１】
また、各作像ユニット１０Ｍ，１０Ｃ，１０Ｙ，１０Ｂｋの下方には、光書込装置１４が設けられている。この光書込装置１４は、図示はしないがポリゴンミラーやミラー群等を有しており、光変調されたレーザ光を各色作像ユニットの感光体ドラム２の表面に照射する。
【００１２】
また、装置本体１の下部には、２段の給紙カセット１５がセットされており、各給紙カセットに対応する給紙手段１６が設けられている。その給紙手段１６によって給送される転写紙等の画像記録シート（以下、「用紙」という。）を搬送するために、搬送ローラ対１７が設けられている。この搬送ローラ対１７の上方（用紙搬送方向の下流側）にはレジストローラ対１８が設けられている。そのレジストローラ対１８の上方には、二次転写手段として機能する二次転写ローラ１９が配置されており、その二次転写ローラ１９は中間転写ベルト１１を張架しているローラの一つである二次転写対向ローラ１３に対向するように設けられている。
【００１３】
二次転写ローラ１９の用紙搬送方向下流側には定着装置２０が設けられている。定着装置２０の上方には、用紙搬送方向を切り替えるための切替爪２１が配置されている。切替爪２１は、図示しないソレノイド等のアクチュエータにより切り替えられる。
【００１４】
また、装置本体１の上面は２段の排紙トレイ３０が構成されており、その排紙トレイ下段３０ａに用紙を排出するための排紙ローラ対２９が、定着装置２０の図中左上方に位置して設けられている。また、排紙ローラ対２９の上方には、排紙トレイ上段３０ｂに用紙を排出するための排紙ローラ対３１が正逆回転可能に設けられている。
【００１５】
また、用紙搬送装置としての両面ユニット５０が装置本体１の側部に設けられている。
この両面ユニット５０には、反転した用紙を再給紙するための再給紙路５２の一部が形成されている。この再給紙路５２は、排紙トレイ上段３０ｂに用紙を排出するための排紙ローラ対３１を始点とし、レジストローラ対１８の手前で用紙搬送路に合流した地点を終点として設けられている。そして、両面ユニット内の再給紙路５２をほぼ四等分する位置に、搬送ローラ対２６，２７，２８が配置されている。
【００１６】
また、両面ユニット５０は手差し給紙装置を備えており、この両面ユニット５０の側面に、手差し給紙装置の用紙積載手段としての手差しトレイ６０が回動軸６１を支点として両面ユニット５０に対して開閉可能に設けられている。
両面ユニット５０には、この手差しトレイ６０から用紙を給紙するために、呼び出しローラ６２、供給ローラ６３及び分離ローラ６４からなる給紙部６５が設けられている。また、手差しトレイ６０からの用紙搬送路は、レジストローラ対１８の用紙搬送方向下流側で給紙カセット１５からの用紙搬送路と合流している。
なお、この両面ユニット５０については、後に詳述する。
【００１７】
同フルカラープリンタによる画像形成動作について説明する。
各作像ユニット１０Ｍ，１０Ｃ，１０Ｙ，１０Ｂｋの感光体ドラム２が図示しない駆動手段によって図中時計方向に回転駆動され、その感光体ドラム２の表面が帯電装置によって所定の極性に一様に帯電される。帯電された感光体ドラム表面には、光書込装置１４からのレーザ光が照射され、これによって感光体ドラム表面に静電潜像が形成される。このとき、各感光体ドラム２に露光される画像情報は所望のフルカラー画像をマゼンタ、シアン、イエロー、ブラックの色情報に分解した単色の画像情報である。このように形成された静電潜像に現像装置から各色トナーが付与され、トナー像として可視化される。
【００１８】
また、中間転写ベルト１１が図１中矢印で示すように図中反時計回りに駆動され、各作像ユニット１０Ｍ，１０Ｃ，１０Ｙ，１０Ｂｋにおいて各一次転写ローラ１２の作用により各感光体ドラム２から中間転写ベルト１１に各色トナー像が順次重ね転写される。
【００１９】
一方、給紙カセット１５あるいは手差しトレイ６０から用紙が選択的に給送され、レジストローラ対１８によって、中間転写ベルト１１上に担持されたトナー像とのタイミングを取って二次転写部に向けて送出される。二次転写部でトナー像を転写された用紙は、定着装置２０を通過するとき、熱と圧力によってトナー像が用紙に溶融定着される。定着された転写材は、排紙ローラ対２９により装置本体１の上面に構成された排紙トレイ３０に排出される。
【００２０】
用紙両面にプリントを行う場合は、用紙片面にトナー像を定着した用紙を、切替爪２１を適切に切り替えることにより、正逆回転可能な排紙ローラ対３１に向けて搬送する。このとき、前記排紙ローラ対３１は正方向（図１で時計回り）に回転される。この排紙ローラ対３１によって排紙トレイ上段３０ｂに向けて搬送された用紙の後端をセンサ４０で検知したら、前記排紙ローラ対３１を逆方向（図１で逆時計回り）に回転させ、用紙を再給紙路５２へ送り込む。用紙は再給紙路５２内を搬送ローラ対２６，２７，２８によって搬送され、さらに、レジストローラ対１８へと送られる。
このように、正逆回転可能な排紙ローラ対３１で切替された用紙が、再給紙路５２を搬送されることで、用紙の表裏が逆にされる。そして、その用紙裏面に中間転写ベルト１１からトナー像が転写され、その裏面画像を定着装置２０で定着することにより、表裏両面に画像を担持する用紙を排紙トレイ３０に排出し、両面プリントが完成する。
【００２１】
同フルカラープリンタの両面ユニットについて詳述する。
図２は、同フルカラープリンタにおける両面ユニットの要部の拡大図である。
両面ユニット５０はその下部に設けられた回動軸５１を支点として揺動可能に設けられ、装置本体１に対して開閉可能となっている。
両面ユニット５０に含まれるものとしては、図中破線で示す再給紙路５２の一部を形成する搬送ガイド７０の他に、手差しトレイ６０、この手差しトレイ６０の給紙部６５等がある。
【００２２】
搬送ガイド７０は、搬送ローラ対２６，２７，２８の従動側ローラ２６ａ，２７ａ，２８ａを支持しており、さらに、回動軸７１を支点として両面ユニット５０に対して開閉可能となっている。この搬送ガイド７０の開閉によって、再給紙路５２を開放させることができるが、図示しないストッパ部材が設けられており、搬送ガイド７０を所定の角度以上に回動させることはできない。（図５参照）
また、両面ユニット５０が閉状態の場合、搬送ガイド７０は装置本体１と両面ユニット５０とに挟まれて閉状態となるように構成されている。
【００２３】
同両面ユニットに係る開閉検知機構の構成について説明する。
この開閉検知機構は、両面ユニット５０の開閉状態を検知するプッシュスイッチ３（以下、第１のプッシュスイッチという）を装置本体１に備えている。また、両面ユニット５０の開閉に応じて手差しトレイ６０と搬送ガイド７０との各々の開閉状態を検知する検知手段として、プッシュスイッチ７２（以下、第２のプッシュスイッチという）を搬送ガイド７０に備えている。また、両面ユニット５０の開閉に応じて第１のプッシュスイッチ３と接離する凸形状部５３を両面ユニット５０に備えている。
【００２４】
また、同開閉検知機構は、第２のプッシュスイッチ７２を作動させる第１の部材として、搬送ガイド７０の開閉を検知する搬送ガイド検知レバー５４を備えている。
この搬送ガイド検知レバー５４は、回動軸５５を支点に両面ユニット５０へ支持されており、先端部が第２のプッシュスイッチ７２の装置本体外側表面へ接離可能に設けられている。そして、両面ユニット５０に設けられた付勢手段５６によって装置本体側へ押されている。
また、搬送ガイド検知レバー５４に係る部材として、両面ユニット５０の開閉に応じて搬送ガイド検知レバー５４に接離する凸形状部４が、装置本体１に設けられている。
【００２５】
さらに、同開閉検知機構は、第２のプッシュスイッチ７２を作動させる第２の検知部材として、手差しトレイ６０の開閉を検知する手差しトレイ検知レバー７３を備えている。
この手差しトレイ検知レバー７３は、回動軸７４を支点に搬送ガイド７０へ支持されており、先端部が第２のプッシュスイッチ７２の装置本体外側表面へ接離可能に設けられている。そして、搬送ガイド７０に設けられた付勢手段７５によって装置本体外側へ押されている。
また、手差しトレイ検知レバー７３に係る部材として、再給紙路５２を遮らず、かつ手差しトレイ６０の開閉に応じて手差しトレイ検知レバー７３に接離可能な凸形状部６６が、手差しトレイ６０に設けられている。
【００２６】
第１のプッシュスイッチ３と第２のプッシュスイッチ７２とから発信される検知信号は、装置本体１内部に備えられている制御部（図示せず）によって受信される。この制御部は、前記検知信号を受けて、装置本体１に設けられた操作パネル（図示せず）に情報を表示する。
【００２７】
同両面ユニット５０に係る開閉検知動作について、図２乃至図７を用いて説明する。
まず、手差しトレイ６０の開閉検知について図２及び図３を用いて説明する。
図２は、両面ユニット５０と手差しトレイ６０とが閉じられた状態を示している。
装置本体１に対して両面ユニット５０が閉じられていることで、第１のプッシュスイッチ３が、両面ユニット５０に設けられた凸形状部５３に押されてオンとなっており、両面ユニット５０の閉状態を検知している。
【００２８】
このとき、両面ユニット５０と手差しトレイ６０が閉じられていることで、手差しトレイ検知レバー７３が、手差しトレイ６０に設けられた凸形状部６６により装置本体側に押されている。そして、この手差しトレイ検知レバー７３によって第２のプッシュスイッチ７２が押されてオンとなり、手差しトレイ６０の閉状態を検知している。
【００２９】
図３は、図２の状態から両面ユニット５０に対して手差しトレイ６０が開かれた状態を示す説明図である。
図２の状態から手差しトレイ６０が開かれると、手差しトレイ検知レバー７３から手差しトレイ６０に設けられた凸形状部６６が離される。さらに、手差しトレイ検知レバー７３は搬送ガイド７０に設けられた付勢手段７５によって本体装置外側へ押され、手差しトレイ検知レバー７３が第２のプッシュスイッチ７２から離される。そして、第２のプッシュスイッチ７２がオフとなり、手差しトレイ６０の開状態を検知する。
【００３０】
このとき、両面ユニット５０が閉じていることで、搬送ガイド７０の閉状態が確定しているため、第２のプッシュスイッチ７２は搬送ガイド７０の開閉状態を検知する必要が無い。つまり、両面ユニット５０が閉状態の場合、第２のプッシュスイッチ７２は手差しトレイ６０の開閉状態のみを検知できればよい。
本実施形態では、両面ユニット５０が閉状態の場合、搬送ガイド検知レバー５４が装置本体１に設けられた凸形状部４によって装置本体外側へ押され、第２のプッシュスイッチ７２に接触しない位置に離される。このことにより、第２のプッシュスイッチ７２が手差しトレイ６０の開閉状態のみを検知することができる。
【００３１】
次に、搬送ガイド７０の開閉状態の検知について図４乃至図７を用いて説明する。
図４は、図２の状態から装置本体１に対して両面ユニット５０が開かれた状態を示す説明図である。
装置本体１に対して両面ユニット５０が開かれると、第１のプッシュスイッチ３から両面ユニット５０に設けられた凸形状部５３が離され、第１のプッシュスイッチ３がオフとなり、両面ユニット５０の開状態を検知する。
【００３２】
同時に、両面ユニット５０が開かれたことで装置本体１に設けられた凸形状部４から搬送ガイド検知レバー５４が離される。そして、搬送ガイド検知レバー５４が両面ユニット５０に設けられた付勢手段５６により装置本体側へ押され、第２のプッシュスイッチ７２を押す。このことで、第２のプッシュスイッチ７２がオンとなり、搬送ガイド７０が閉じられていることを検知する。
【００３３】
図５は、図４の状態から両面ユニット５０に対して手差しトレイ６０が開かれた状態を示す説明図である。
図４の状態から手差しトレイ６０が開かれると、手差しトレイ６０に設けられた凸形状部６６が手差しトレイ検知レバー７３から離される。そして、搬送ガイド７０に設けられた付勢手段７５によって、手差しトレイ検知レバー７３が第２のプッシュスイッチ７２から離される。このとき、搬送ガイド７０の閉状態により、搬送ガイド検知レバー５４が第２のプッシュスイッチ７２を押しているため、手差しトレイ６０の開状態は第２のプッシュスイッチ７２に検知されない。
【００３４】
図６は図４の状態から両面ユニット５０に対して搬送ガイド７０が開かれた状態を示している。
図４の状態から搬送ガイド７０が開かれると、第２のプッシュスイッチ７２が搬送ガイド検知レバー５４から離される。同時に、手差しトレイ検知レバー７３が手差しトレイ６０に設けた凸形状部６６から離され、搬送ガイド７０に設けられた付勢手段７５によって、第２のプッシュスイッチ７２から離される。搬送ガイド検知レバー５４と手差しトレイ検知レバー７３とが、第２のプッシュスイッチ７２から離れることで第２のプッシュスイッチ７２がオフとなり、搬送ガイド７０の開状態を検知する。
【００３５】
図７は、図６の状態から両面ユニット５０に対して手差しトレイ６０が開かれた状態を示している。
図６の状態から手差しトレイ６０が開かれると、手差しトレイ検知レバー７３は第２のプッシュスイッチ７２から離され、かつ、手差しトレイ６０に設けた凸形状部６６からも離された位置を取っている。よって、手差しトレイ検知レバー７３が第２のプッシュスイッチ７２に接触することがなく、手差しトレイ６０の開閉状態は検知されない。
【００３６】
両面ユニット５０が開状態の場合、両面ユニット５０が開かれていることで手差し給紙装置からの用紙搬送経路（太線で示す）が分断され、手差しトレイ６０の開閉状態に係らず手差しトレイ６０からの給紙は行えない。このため、第２のプッシュスイッチ７２は両面ユニット５０が開状態の場合、手差しトレイ６０の開閉状態を検知する必要が無い。つまり、両面ユニット５０が開状態の場合、第２のプッシュスイッチ７２は搬送ガイド７０の開閉状態のみを検知できればよい。
本実施形態では、両面ユニット５０が開状態で、かつ、搬送ガイド７０が開状態の場合、手差しトレイ検知レバー７３は第２のプッシュスイッチと接触しない位置を取っている。このことにより、第２のプッシュスイッチ７２は搬送ガイド７０の開閉状態のみを検知することができる。
【００３７】
また、両面ユニット５０の開閉に応じて手差しトレイ６０と搬送ガイド７０との各々の開閉状態を検知する検知手段としては、透過型あるいは反射型の光学センサを用いても良い。透過型あるいは反射型の光学センサを用いることで、検知部材と検知手段が直接接触することなく、手差しトレイ６０と搬送ガイド７０の各々の開閉状態を検知をすることができる。このため、検知部材と検知手段との設置可能範囲が広がり、かつ、接触による部材の消耗や破損を防ぐことができる。
【００３８】
以上に説明したものは一例であり、本発明は、次の態様ごとに特有の効果を奏する。
（態様Ａ）
装置本体１に開閉可能な両面ユニット５０と、この両面ユニット５０に開閉可能に支持された搬送ガイド７０と、前記両面ユニット５０の外郭部に開閉可能に支持された手差しトレイ６０とを備えるフルカラープリンターに用いる開閉検知機構において、
前記搬送ガイド７０と前記手差しトレイ６０との各々の開閉状態を検知するための第２のプッシュスイッチ７２と、前記搬送ガイド７０の開閉に応じて前記第２のプッシュスイッチ７２に接離される搬送ガイド検知レバー５４と、前記手差しトレイ６０の開閉に応じて前記第２のプッシュスイッチ７２に接離される手差しトレイ検知レバー７３とを備え、
前記両面ユニット５０が閉状態の場合に、前記搬送ガイド検知レバー５４を前記第２のプッシュスイッチ７２に接触しない位置を取らせ、かつ、前記両面ユニット５０が開状態の場合に、前記手差しトレイ検知レバー７３を前記第２のプッシュスイッチ７２に接触しない位置を取らせる。
【００３９】
このような機構を設けることにより、前記実施形態で説明したように、第２のプッシュスイッチ７２が、両面ユニット５０が閉状態の場合には手差しトレイ６０の開閉状態のみを検知し、両面ユニット５０が開状態の場合には搬送ガイド７０の開閉状態のみを検知することができる。
したがって両面ユニット５０の内部に設けた搬送ガイド７０と手差しトレイ６０との開閉状態を１つの検知手段にて検知し、開閉検知機構に係るコストを削減することができるという優れた効果がある。
【００４０】
（態様Ｂ）
また、（態様Ａ）の開閉検知機構において、前記搬送ガイド７０が開状態の場合に、前記手差しトレイ検知レバー７３を前記第２のプッシュスイッチ７２に接触しない位置を取らせる。
このような機構を設けることにより、前記実施形態で説明したように、第２のプッシュスイッチ７２が、両面ユニット５０の閉状態の場合には手差しトレイ６０の開閉状態のみを検知し、両面ユニット５０の開状態の場合には搬送ガイド７０の開閉状態のみを検知することができる。
したがって両面ユニット５０の内部に設けた搬送ガイド７０と手差しトレイ６０との開閉状態を１つの検知手段にて検知し、開閉検知機構に係るコストを削減することができるという優れた効果がある。
【００４１】
（態様Ｃ）
また、（態様Ａ）の開閉検知機構において、前記第２のプッシュスイッチ７２として、スイッチを押圧されることで検知するプッシュ型スイッチを用いる。
これにより、安易な構造で両面ユニット５０の内部に設けた搬送ガイド７０と手差しトレイ６０との開閉状態を検知することができるという効果が得られる。
【００４２】
（態様Ｄ）
また、（態様Ａ）の開閉検知機構において、前記第２のプッシュスイッチ７２として光学センサを用いる。
これにより、検知部材と検知手段が直接接触することなく両面ユニット５０の内部に設けた搬送ガイド７０と手差しトレイ６０との開閉状態を検知することができる。このため、検知部材と検知手段との設置可能範囲が広がり、かつ、接触による部材の消耗や破損を防ぐことができる。
【００４３】
（態様Ｅ）
また、画像形成装置本体に開閉可能な用紙搬送装置と、該用紙搬送装置に開閉可能に支持された搬送ガイドと、前記用紙搬送装置の外郭部に開閉可能に支持された用紙積載手段とを備える画像形成装置に、（態様Ａ）乃至（態様Ｄ）に記載の開閉検知機構の何れか一つを備える。
このことにより、両面ユニット５０の内部に設けた搬送ガイド７０と手差しトレイ６０との開閉状態を１つの検知手段にて検知することができる。したがって、開閉検知機構に係るコストを削減することができる。
【符号の説明】
【００４４】
１    装置本体
２    感光体ドラム
３    プッシュスイッチ
４    凸形状部
１０Ｍ，１０Ｃ，１０Ｙ，１０Ｂｋ  作像ユニット
１１  中間転写ベルト
１２  一次転写ローラ
１３  二次転写対向ローラ
１４  光書込装置
１５  給紙カセット
１６  給紙手段
１７  搬送ローラ対
１８  レジストローラ対
１９  二次転写ローラ
２０  定着装置
２１  切替爪
２６，２７，２８  搬送ローラ対
２６ａ，２７ａ，２８ａ  従動側ローラ
２９  排紙ローラ対
３０  排紙トレイ
３０ａ  排紙トレイ下段
３０ｂ  排紙トレイ上段
３１  排紙ローラ対
４０  センサ
５０  両面ユニット
５１  回動軸
５２  再給紙路
５３  凸形状部
５４  搬送ガイド検知レバー
５５  回動軸
５６  付勢手段
６０  手差しトレイ
６１  回動軸
６２  呼び出しローラ
６３  供給ローラ
６４  分離ローラ
６５  給紙部
６６  凸形状部
７０  搬送ガイド
７１  回動軸
７２  プッシュスイッチ
７３  手差しトレイ検知レバー
７４  回動軸
７５  付勢手段
【図１】
2015129803.tif 000003
【図２】
2015129803.tif 000004
【図３】
2015129803.tif 000005
【図４】
2015129803.tif 000006
【図５】
2015129803.tif 000007
【図６】
2015129803.tif 000008
【図７】
2015129803.tif 000009